(57)【要約】  フィーダデバイス（５０）を包装ライン（１）に対して要求された位置に保持するのに適した種類の、特にそれを組み込む包装ライン（１）用のフィーダデバイススタンド（１０）により、デバイスをラインに対して正確に位置決めすることが可能になり、供給されるべき挿入物によって適合可能であり、包装ライン（１）の本体（５）の下に挿入されるのに適した係合突起部（１２）を備えた台座（１１）と、台座（１１）を包装ライン（１）に対して固定位置に配置するための封鎖手段（１３、１４）と、台座（１１）の頂部に配置され、包装ライン（１）を横切って台座（１１）に対して並進されるように構成されたサドル（３０）と、該サドル（３０）上に設置され、フィーダデバイス（５０）用の支持ベース（４１）が上に形成される枢動テーブル（４０）と、該支持ベース（４１）を該包装ライン（１）に対して位置決めするための手段とを備える。【選択図】図１
2010516582.tif 000002
【特許請求の範囲】
【請求項１】
フィーダデバイス（５０）を包装ライン（１）に対して要求された位置に保持するのに適した種類の、特にそれを組み込む包装ライン（１）用のフィーダデバイススタンド（１０）であって、
前記包装ライン（１）の本体（５）の下に挿入されるのに適した係合突起部（１２）を備えた台座（１１）と、
前記台座（１１）を前記包装ライン（１）に対して固定位置に配置するための封鎖手段（１３、１４、２０）と、
前記台座（１１）の頂部に配置され、前記包装ライン（１）を横切って前記台座（１１）に対して並進されるように構成されたサドル（３０）と、
前記サドル（３０）上に設置され、前記フィーダデバイス（５０）用の支持ベース（４１）が上に形成される枢動テーブル（４０）と、
前記支持ベース（４０）を前記包装ライン（１）に対して位置決めするための手段とを備えるフィーダデバイススタンド。
【請求項２】
前記係合突起部（１２）が、スラブ形状であり、前記台座（１１）の幅と一致する幅と、前記ライン本体（５）の幅全体をほぼ覆うような長さとを有する、請求項１に記載のスタンド（１０）。
【請求項３】
前記突起部（１２）が、その遠位端、かつその各側部に、レール７の上で前記包装ライン（１）内を摺動するように配置された第１位置決めロール（１３）と、その近位端に、前記レール（７）の上で摺動するように配置された第２ロール（１４）とを有し、これにより、前記台座（１１）を前記包装ライン（１）に対してその位置で組み立てる、請求項２に記載のスタンド（１０）。
【請求項４】
前記台座（１１）が、垂直方向に調整可能である、請求項１に記載のスタンド（１０）。
【請求項５】
前記台座（１１）を前記包装ライン（１）に対して固定位置に配置するための前記封鎖手段（１３、１４、２０）が、前記包装ライン（１）の前記本体（５）内の固定部材（８）に対応する側面の対向する固定デバイス（２０）を備える、請求項１に記載のスタンド（１０）。
【請求項６】
前記固定デバイス（２０）が、前記台座（１１）のスリット（２３）内を摺動するバー（２２）に回転可能に接続されたフック（２１）を備える、請求項５に記載のスタンド（１０）。
【請求項７】
前記支持ベース（４１）を前記包装ライン（１）に対して位置決めするための前記手段が、
前記サドル（３０）を水平方向に並進させるための手段と、
前記サドル（３０）に対する前記枢動テーブル（４０）の枢動を可能にする枢動手段と、
それぞれのブレーキとを備える、前記請求項にいずれかに記載のスタンド（１０）。
【請求項８】
前記水平方向に並進させる手段が、前記サドル（３０）に対して長手方向に配置された水平方向ラック（３１）と、調整はずみ車（３３）によって駆動される対応する歯車（３２）とを備える、請求項７に記載のスタンド（１０）。
【請求項９】
前記枢動手段が、前記サドル（３０）と前記枢動テーブル（４０）の間に垂直方向回転軸を有する軸受け（４２）を備える、請求項７に記載のスタンド（１０）。
【発明の詳細な説明】
【技術分野】
【０００１】
本発明は、フィーダデバイスをラインに対して要求される位置に保持するのに適した種類の、特にそれを組み込む包装ライン用のフィーダデバイス用スタンドに関する。
【背景技術】
【０００２】
典型的には、連続して作動される包装ラインに沿って、様々な種類のフィーダが配置され、例えば、セロハンフィルムによって、または別の熱シール可能なフィルムによって包装されるべき積み重ね要素内、あるいは、同様にほどかれた紙の中に配置し、場合によっては、フローパックとして知られる方法に従って、熱シール可能なフィルムまたは接着樹脂の層を備える。
【０００３】
このようにして包装されるべき要素の例は、雑誌、新聞、平らにされた小包およびその他であり、単一のシート、または例えば、折り目線または任意の封筒によって形成された閉じられたへりまたはバインダを有する小冊子で作成された挿入物がこれらに付随する。一般に、以下において、該挿入物は、シート形状の単一の製品と称される。
【０００４】
それらは、該フィーダデバイスを介して包装ラインに供給された、例えば、別々に販売される、またはさらにその間に関連性を持って販売される雑誌、および該雑誌と一緒に包装された多様な種類の挿入物（販売促進、宣伝広告など）で表わすことができる。
【０００５】
小包、雑誌、新聞など別個の要素に、または単一のまたは折り畳まれたシート、封筒、製本された挿入物などのような実質的に単一の製品に適合したフィーダデバイスは通常、包装ラインの動作に明確に同期されるべき固有のモータを備える。
【０００６】
さらに、それらは、単一の包装ライン内に組み込まれるものではなく、それらは、起こり得る要望に従って、追加されまたは取り外されて利用可能であるべきであり、この理由のために、そのモータは、内蔵される必要がある。
【０００７】
したがって、同一のフィーダデバイスは、ラインに沿って異なるサイズの挿入物を供給することが可能である必要があり、場合によって、ラインに対して異なる配向を有することが理解される。しかしながら、これらのパラメータの変形形態の場合でさえも、フィーダは、ラッピングステーションへ導く包装ライン上に精密に中央に配置された挿入物を送達しなければならない。
【０００８】
フィーダデバイスが挿入物を、例えば９０°枢動させるための手段を備える場合、特にこの問題の影響を受ける。一般的な問題は、このような手段が、完全に９０度の角度で挿入物を安全に枢動させることに成功せず、その部分的角度で枢動させることである。さらに、このような回転角度の変動は、フィーダデバイス自体の供給位置を変える場合がある。
【発明の概要】
【課題を解決するための手段】
【０００９】
本発明の基礎を成す技術的問題は、従来技術に関連して言及された欠点を回避するフィーダデバイスのスタンドを提供することである。
【００１０】
このような問題は、
−包装ラインの本体の下に挿入されるのに適した係合突起部を備えた台座と、
−台座を包装ラインに対して固定位置に配置するための封鎖手段と、
−包装ラインを横切って台座に対して並進されるように構成された、台座の頂部に配置されたサドルと、
−該サドルの上に設置され、フィーダデバイス用の支持ベースが上に形成される枢動テーブルと、
−該支持ベースを該包装ラインに対して位置決めするための手段とを備えた上記に特定したスタンドによって解決される。
【００１１】
本発明はまた、上記の所与の主要な定義および付加的定義によるスタンドを備えたフィーダデバイスに向けられることが理解される。
【発明の効果】
【００１２】
本発明によるスタンドおよび関連するフィーダデバイスの主な利点は、デバイスをラインに対して正確に位置決めすることが可能であり、供給されるべき挿入物に従って適用可能であることである。
【００１３】
本発明は、以後、添付の図面を参照して、例証として非限定的な目的で提供されるその好ましい実施形態に従って記載される。
【図面の簡単な説明】
【００１４】
【図１】本発明の好ましい実施形態によるスタンドを組み込む、包装ラインに近接したフィーダデバイスを示す斜視図である。
【図２】図１のスタンドの下部の斜視図である。
【図３】図２の下部の詳細の側部の部分断面図である。
【図４】図３の詳細の前方の部分断面図である。
【図５】図１のスタンドの部分断面斜視図である。
【図６】図５に示される、図１のスタンドの詳細の拡大斜視図である。
【図７】図１のスタンドの後部斜視図である。
【図８】図１のスタンドの上部斜視図である。
【００１５】
単に予備的な目的で図面を参照すると、包装ラインの一部は、全体として１で示される。これは、包装されるべき単一の製品を押すように移動する複数の押し部材３を備えた、包装ライン本体５の頂部に形成された長手方向の搬送面２を有する。それらは、モータ、および搬送面２の下にある関連する連鎖（機構）（ｋｉｎｅｍａｔｉｃ  ｃｈａｉｎ）によって動かされる。
【００１６】
ライン本体５の側部に、運動学的（ｋｉｎｅｍａｔｉｃ）動力伝達装置、モータおよび補助デバイスを収容するのに適した複数のアクセスベイ（ａｃｃｅｓｓ ｂａｙ）を含むケーシング４が設けられる。
【００１７】
該搬送面を水平に設定するために、好適な同じ高さに保つ脚によって支持された本体５の下に、間隙６が配置される。
【００１８】
該間隙６に、ラインは、以後記載されるフィーダデバイススタンドを受けるように成形され、フィーダデバイスが任意選択で設けられ得る、ライン１の所定の領域に配置された位置決めレール７の組を備える。
【００１９】
該ライン１はまた、該レール７に、該スタンドをライン１に対して封鎖する目的で、該搬送面２に近接して設けられた固定部材８を有する。
【００２０】
常に図面を参照すると、本発明によるスタンドの一実施形態は、包括的に１０で示される。
【００２１】
スタンドは、車輪９の上に設置された真っ直ぐな台座１１であって、スラブ形状で、台座１１の幅と一致する幅と、ライン本体５の幅全体をほぼ覆うような長さとを有する、包装ライン１の本体５の下に挿入するのに適した係合突起部１２を備える台座１１を備える
該突起部１２は、その遠位端、かつその各側部に、該レール７の下で摺動するように配置された第１位置決めロール１３を有する。突起部１２は、その近位端に、すなわち台座１１に、該レール７の上を摺動するように配置された第２ロール１４を備え、これにより、台座１１をライン１に対してその位置で組み立てる。
【００２２】
台座１１は、高さを調整することができ、この目的のために、これは、台座１１の頂部を垂直に並進させるための手段を有する。このような手段は、本実施形態において、任意の要求に従って好適な制御ユニットに結合され得るジャッキシリンダ１５を備える。
【００２３】
これに関連して、台座は、固定された下部１６と可動の上部１７とに分けられ、該並進手段は、この後者の部分１７に対して作用する。
【００２４】
並進手段は、所定のレベルに配置するための手段、例えば、下部１６の中に形成されたノッチに嵌合するのに適したバー１８を備える。
【００２５】
あるいは、該並進手段は、油圧式ジャック、モータ駆動式またははずみ車駆動の機械システムで構成されてよく、好ましくは、該上部内に形成された雌ねじに係合するねじシャフトを備え、頂部の重みによって生じた反転するシャフトの回転を阻止するような摩擦係数を有する。
【００２６】
このような並進手段は、フィーダデバイスを搬送面に対して垂直方向に配置して、床の凹凸、またはライン１に供給されるべき挿入物の顕著な厚みを補償するように機能する。
【００２７】
該上部１７上に、スタンドは、該固定部材８に対応する、側面の対向する固定デバイス２０を有する。それらは、スリット２３内で該上部１７の中を摺動するバー２２に回転可能に接続されたフック２１を備える。フック２１の角度位置は、側部はずみ車２４によって固定化することができる。並進バー２２は、弾性部材２５、すなわち、らせん形ばねに対抗して移動させることができ、バーは、後部はずみ車２７によって回転させることができるねじスピンドル２６によって駆動される。
【００２８】
このようにして、台座１１は、ライン１に接近することができ、レール７に対して位置決めロール１３、１４を挿入する。フック２１は、ばね２５に対して前方に押され、ライン１上の固定部材８に固定されるように回転される。次いで、それらは、台座１１がライン本体５に対して一体式に封鎖されるまで、後方に引き戻される。
【００２９】
台座１１を包装ライン１に対して所定の位置に配置する目的で、ロール１３、１４および固定デバイス２０が、スタンド１０を封鎖するための手段を具現化することが理解される。
【００３０】
しかしながら、このような封鎖手段は、多くの変形形態を包含することができることが理解される。完全に封鎖した後、上部１７、すなわちフィーダデバイスは、搬送面に対して垂直方向に調整することができる。
【００３１】
該台座１１の頂部上で、スタンド１０は、包装ライン１１を横切って、詳細にはそのラインに対して垂直方向に台座１１に対して並進することができるサドル３０を備える。これは、サドル３０と上部１７との間に設けられた、サドル３０を水平方向に並進させるための手段を有する。
【００３２】
これに関連して、サドル３０は、そのベースに、サドル３０に対して長手方向に配置された水平方向ラック３１を備え、調整はずみ車３３によって駆動される、台座１１の上部１７上に回転可能に設置された歯車３２が、このラック上で作動される。サドル３０を要求される位置に停止させるために、ブレーキが設けられることが理解される。このブレーキは、歯車３２を駆動させるスピンドル３４に適用されてよい。
【００３３】
さらに、水平方向に並進させるこのような手段は、例えば、ねじスピンドル、または歯状バーを備えた可動ラチェット歯車装置を含むことによって、多くの変形形態を含むことができる。
【００３４】
該サドル３０上に、スタンド１０は、サドル３０とテーブル４０の間に配置された軸受４２の上に回転可能に設置された枢動テーブル４０を備える。枢動テーブル４０を要求される位置で停止させるためにブレーキが設けられることが理解される。軸受４２は、垂直方向の回転軸を有する。
【００３５】
テーブル４０上に、フィーダデバイス５０用の支持ベース４１が形成され、これは、ライン１に対して自由に枢動され、任意の並進および枢動位置に封鎖することができる。
【００３６】
したがって、スタンド１０は、該支持ベース４１を包装ライン１に対して位置決めするための手段を備え、本実施形態において、これは、それぞれの各ブレーキを備えたサドル３０および軸受を水平方向に並進させるための該手段を備える。
【００３７】
本実施形態において、該位置決め手段はまた、台座１１の頂部を垂直方向に並進させる手段と、このような頂部を所定のレベルに配置する先に記載した手段とを備える。
【００３８】
該支持ベース４１上に、小包、雑誌、新聞などの単一の製品を包装ライン１上に供給するのに適した種類のフィーダデバイス５０が配置される。
【００３９】
この実施形態において、フィーダデバイス５０は、搬送面２に浮くように、供給されるべき製品の積み重ねが上に配置される支持テーブル５１を備える。
【００４０】
該製品は、積み重ねのベースから一つずつ引き抜かれ、枢動され、包装ライン１に対して製品または挿入物を枢動させるようにプログラムすることが可能な入り口ローラテーブル５２の上に配置される。
【００４１】
このようなデバイス５０は、電気的に制御され、包装ライン１全体と同期する単独モータ５３によって作動される。
【００４２】
しかしながら、スタンドは、同様な方法で異なるフィーダと共に使用することができることが理解される。
【００４３】
上記のスタンドおよび関連するフィーダデバイスに対して、当業者は、さらなる起こり得る要望に応えるために、いくつかの付加的変形形態および修正形態を採り入れることが可能であり、いずれにしてもこれら全て、添付の特許請求の範囲によって定義される、本発明に与えられた保護範囲内にある。
【図１】
2010516582.tif 000003
【図２】
2010516582.tif 000004
【図３】
2010516582.tif 000005
【図４】
2010516582.tif 000006
【図５】
2010516582.tif 000007
【図６】
2010516582.tif 000008
【図７】
2010516582.tif 000009
【図８】
2010516582.tif 000010
【国際調査報告】
2010516582.tif 000011
2010516582.tif 000012